(57)【要約】【課題】河川や湖沼、貯水池等の流水や滞水を直接浄化するので浄化効率に優れている水質浄化装置を提供する。【解決手段】水中に設置する浄化用容器１は、上部側に複数の浄化水放出穴２を有し、下部側に水導入穴４を有している。浄化用容器１内の下部側には空気噴出管７が配設してあり、空気噴出管７には軸方向に離間して微多孔質材からなる複数の微細空気噴出体１０が突設してある。浄化用容器１内には微細空気噴出体１０が埋まる程の高さにまで団粒炭１１Ａを充填することで団粒炭層１１が形成してある。微細空気噴出管７には圧縮空気を供給するエアコンプレッサー１３が接続してあり、微細空気噴出体１０から微細気泡を団粒炭層１１に噴出することで、酸素溶存性の高い浄化水を生成する。【選択図】図１
2014151292.tif 000002
【特許請求の範囲】
【請求項１】
上部側に複数の浄化水放出穴を有し、下部側に水導入穴を有する構成からなり、水中に設置する浄化用容器と、該浄化用容器内の下部側に配設され、微多孔質材からなる複数の微細空気噴出体を突設した空気噴出管と、前記浄化用容器内に前記微細空気噴出体が埋まる高さにまで団粒炭を充填して形成した団粒炭層と、前記空気噴出管に加圧空気を供給するエアコンプレッサーとから構成し、前記空気噴出管に加圧空気を供給して前記微細空気噴出体から微細気泡を前記団粒炭層に噴出し、前記団粒炭と接触させて水の酸素溶存性を高めることにより水を浄化するようにした水質浄化装置。
【請求項２】
前記浄化水放出穴及び水導入穴は、メッシュ状網で覆ってあることを特徴とする請求項１記載の水質浄化装置。
【請求項３】
前記団粒炭は、草木を焼成して得た炭素粉と、固化材と、炭素液を混合して粒状に形成したものである請求項１記載の水質浄化装置。
【請求項４】
前記団粒炭は、炭素粉９９％、固化材１０％、炭素液０，１％の割合で混合し粒状に形成したものである請求項３記載の水質浄化装置。
【発明の詳細な説明】
【技術分野】
【０００１】
本発明は、河川、湖、沼、池等における流水や滞水、或いは農業用水の貯水池等、様々な場所の水を浄化する水質浄化装置に関する。
【背景技術】
【０００２】
従来、河川や湖沼の水の浄化は水草、葦等の草木による浄化作用に依存していた。しかし、水際整備という目的で河川、湖沼の水際に繁殖している草木を伐採し、この伐採事業を拡大していくことで草木による河川、湖沼の水質浄化が図られないという問題が起きている。更に、河岸をコンクリートで固め、或いはブロックを列設することにより草木の繁殖が抑制されて水質浄化作用が行われなくなっているという問題があり、河川等における水質浄化は環境を保全し生態系を守る上で極めて重要な課題である。
【先行技術文献】
【特許文献】
【０００３】
【特許文献１】見出せず。
【発明の概要】
【発明が解決しようとする課題】
【０００４】
本発明は上述した従来技術が未解決の問題点に鑑みなされたもので、河川や湖沼、貯水池等の水中で流水や滞水を直接浄化して元の流水や滞水に還元するので河川や貯水池等を確実に浄化することができるし、浄化効率に優れている水質浄化装置を提供することを目的とする。
【課題を解決するための手段】
【０００５】
上述した課題を解決するために構成した本発明の手段は、上部側に複数の浄化水放出穴を有し、下部側に水導入穴を有する構成からなり、水中に設置する浄化用容器と、該浄化用容器内の下部側に配設され、微多孔質材からなる複数の空気噴出体を突設した空気噴出管と、前記浄化用容器内に前記空気噴出体が埋まる高さにまで団粒炭を充填して形成した団粒炭層と、前記空気噴出管に加圧空気を供給するエアコンプレッサーとから構成し、前記空気噴出管に加圧空気を供給して前記微細空気噴出体から微細気泡を前記団粒炭層に噴出し、前記団粒炭と接触させて水の酸素溶存性を高めることにより水を浄化することにある。
【０００６】
そして、前記浄化水放出穴及び水導入穴は、メッシュ状網で覆うとよい。
【０００７】
また、前記団粒炭は、草木を焼成して得た炭素粉と、固化材と、炭素液を混合して粒状に形成するとよい。
【０００８】
そして、前記団粒炭は、炭素粉９９％、固化材１０％、炭素液０，１％の割合で混合して粒状に形成するとよい。
【発明の効果】
【０００９】
（１）空気噴出管に加圧空気を供給して微細空気噴出体から微細気泡を団粒炭層に噴出し、団粒炭と接触させて水分子の酸素と水素を夫々単分子化することにより、汚れた水も酸素溶存性の高い浄化した水に蘇生することができる。
（２）薬剤、還元剤、化学物質を使用しないから生態系を損なうことなく水の浄化ができる。
（３）浄化水放出穴はメッシュ状網で覆ったから、河川水等に混入している異物が浄化水放出穴から浄化用容器内に流入するのを防止できる。
（４）草木を無酸素状態で焼成して得た炭素粉９９％、固化材１０％、炭素粉を水に分散させた炭素液０，１％を混合して粒状に形成した団粒炭を使用することにより、水の酸素と水素を単分子化して水を酸素溶存性の高い水に浄化することができる。
【図面の簡単な説明】
【００１０】
【図１】本発明の実施の形態に係る水質浄化装置の全体構成を示す断面図である。
【図２】図１中のＩＩ−ＩＩ矢示方向拡大断面図である。
【発明を実施するための形態】
【００１１】
以下、本発明の実施の形態を図面に基づき詳述する。図において、１は河川や池等の底に設置する浄化用容器で、該浄化用容器１は金属製又は合成樹脂製の円筒部１Ａと、該円筒部１Ａの軸方向両端を閉塞する鏡板１Ｂ、１Ｃとから構成してあり、円筒部１Ａの下側外面には軸方向両端側に位置して安定した姿勢を確保するための一対の支持台１Ｄ、１Ｄが設けてある。
【００１２】
２、２、・・は前記円筒部１Ａの上半分の上部側に形成した多数の浄化水放出穴を示す。該各浄化水放出穴２は孔径が約１０ｍｍからなり、円筒部１Ａの内面に貼着したメッシュ状の異物防止網３で覆うことにより外部から異物が流入しないようにしてある。４は前記一側の鏡板１Ｂに開口形成し、外部の水を浄化用容器１内に導入するための水導入穴で、該水導入穴４はメッシュ状の異物防止網５で覆うことにより外部から異物が流入するのを防止している。また、他側の鏡板１Ｃには後述する空気噴出管７を挿着するための管挿着穴６（但し、図示せず。）が形成してある。
【００１３】
７は浄化用容器１内の下部側に配設した空気噴出管を示す。８は該空気噴出管７を構成する合成樹脂製の本管で、該本管８は上部側に軸方向に沿って等間隔に挿着穴８Ａ、８Ａ、・・が形成してある。そして、本管８は基端側８Ｂを前記管挿着穴６に挿嵌して鏡板１Ｃに固着し、円筒部１Ａの底部内面に沿って前側に伸長している。本管８の先端側８Ｃには略Ｕ字状の振れ止め片９が固着してあり、該振れ止め触れ片９は円筒部１Ａの底部内面に固着してある。
【００１４】
１０、１０、・・は前記本管８の挿着穴８Ａに挿着して立設した複数、本実施の形態では５個の微細空気噴出体を示す。該各微細空気噴出体１０は無数の微細な連通気孔を有する微多孔質材で円柱状に形成したものからなる。１１は無数の団粒炭１１Ａ、１１Ａ、・・を円筒部１Ａに充填して形成した団粒炭層で、該団粒炭層１１は該微細空気噴出体１０が埋まる高さ、円筒部１Ａの底部から約５割程度の高さにまで充填してある。
【００１５】
ここで、該団粒炭１１Ａは、植物を無酸素状態で焼成して得た粒径約５０μの炭素粉９９％と、例えば木蝋、そくい等の造粒用の植物性固化材１０％と、炭素粉を水に溶いた炭素液０，１％を混合して粒径が約１〜２ｍｍの粒状に固化形成したもので、内部には水分子が流通する連通気孔が形成されている。
【００１６】
１２は前記空気噴出管７に接続した空気供給ホースで、該空気供給ホース１２は加圧空気を供給するエアコンプレッサー１３と接続してある。
【００１７】
本実施の形態において浄化用容器１は河川、池、沼等の水質の浄化が必要な場所の水底に設置して使用するものであるので、説明上水Ｗの流れを示すために図では破線で水槽Ｔを示して水中を仮想した。エアコンプレッサー１３から供給ホース１２を介して加圧空気を空気噴出管７に供給する。加圧空気は微細空気噴出体１０の各微細な連通気孔から円筒部１Ａ内の水中に無数の微細気泡状に噴出され、微細気泡は団粒炭層１１内を上昇する間に団粒炭１１Ａに接触し、以下に述べる作用によって水の浄化が行われる。
【００１８】
磁性体物質である水には磁気作用が働いており、電子レベルでは酸素と水素が共振運動を引き起して水の分子は集団分子を形成しずらくなって酸素と水素に単分子化する。団粒炭１１Ａは陰電子で、微細気泡は団粒炭層１１を上昇する間に団粒炭１１Ａと接触することでイオン化作用により酸素と水素に単分子化される。これにより汚染している水に酸素が溶解することで酸素溶存性の高い水に浄化される。
【００１９】
浄化用容器１内で浄化された酸素溶存性の高い水は各浄化水放出穴２から水中に放出され、分散することで河川や水源地等の水の酸素濃度が高くなり水生植物を蘇生することができる。また、外部の汚染した水を水導入穴４から浄化用容器１内に取り込んで酸素濃度を高めた浄化水を河川や水源地等に還元することで水の浄化を連続して行うことでができる。
【００２０】
なお、浄化用容器１に設ける浄化水放出穴２及び水導入穴４の数は、実施の形態に示す数に限定されるものではなく、浄化用容器１の容積に応じて適宜選定できるものである。また、穴径も適宜の大きさに設定することができる。
【符号の説明】
【００２１】
１      浄化用容器
２      浄化水放出穴
４      水導入穴
７      空気噴出管
１０    微細空気噴出体
１１    団粒炭層
１１Ａ  団粒炭
１３    エアコンプレッサー
【図１】
2014151292.tif 000003
【図２】
2014151292.tif 000004